(57)【特許請求の範囲】
【請求項１】
第１の患者の生体情報である第１生体情報を測定するための第１生体情報測定装置と、
複数の第２の患者の前記生体情報である第２生体情報をそれぞれ測定するための複数の第２生体情報測定装置と、
前記第１生体情報測定装置により測定された第１生体情報および前記第２生体情報測定装置により測定された第２生体情報を患者別に逐次記憶する記憶装置と、該記憶装置に記憶されている複数の患者の第２生体情報から、過去の所定時点における値が前記第１生体情報と略同じであり、且つ、予め定められている目標値が前記第１生体情報の目標値と略同じである第２生体情報を選択し、選択した第２生体情報の前記所定時点以後のものを送信する送信手段とを備えたサーバ装置と、
該サーバ装置の送信手段により送信された前記所定時点以後の前記第２生体情報を受信する受信手段と、前記第１の患者のために、前記第１生体情報測定装置により測定された該所定時点以後の第１生体情報と、該受信手段により受信された該所定時点以後の第２生体情報とを、該所定時点以後の第１生体情報および第２生体情報の経時変化が比較可能なように出力する出力装置とを備えた患者端末装置と
を含むことを特徴とする生活習慣改善支援システム。
【請求項２】
請求項１に記載の生活習慣改善支援システムであって、
前記送信手段により送信された第２生体情報が測定された第２の患者のための患者端末装置へ、前記記憶装置に記憶されている第１生体情報の前記所定時間以後の前記第１生体情報を送信する第２送信手段と、
前記患者端末装置に設けられ、前記第２送信手段により送信された前記所定時間以後の前記第１生体情報を受信する第２受信手段と、
前記患者端末装置に設けられ、前記第２受信手段により受信された第１生体情報と、前記送信手段において選択された前記所定時点以後の第２生体情報を比較可能に出力する第２出力装置と
をさらに含むことを特徴とする生活習慣改善支援システム。
【請求項３】
第１生体情報測定装置から逐次送信される、第１の患者の生体情報である第１生体情報、および複数の第２生体情報測定装置から逐次送信される、複数の第２の患者の生体情報である第２生体情報を記憶する記憶装置と、
該記憶装置に記憶されている複数の患者の第２生体情報から、過去の所定時点における値が前記第１生体情報と略同じであり、且つ、予め定められている目標値が前記第１生体情報の目標値と略同じである第２生体情報を選択し、前記第１の患者のための出力装置に比較可能に出力させるために、選択した第２生体情報の前記所定時点以後のもの、および前記記憶装置に記憶されている前記第１生体情報の前記所定時間以後のものを送信する送信手段と
を含むことを特徴とする生活習慣改善支援システム用のサーバ装置。
【請求項４】
前記送信手段は、複数の患者の第２生体情報を選択し且つ送信することを特徴とする請求項３に記載のサーバ装置。
【請求項５】
コンピュータを、
過去の所定時点以後に第１の患者に対して逐次測定された第１生体情報、および、第２の患者に対して逐次測定された第２生体情報であって、前記過去の所定時点における値が前記第１生体情報と略同じであり、且つ、予め定められている目標値が前記第１生体情報の目標値と略同じである第２生体情報の前記所定時点以後のものを通信回線を介して取得する生体情報取得手段と、
該生体情報取得手段により取得された過去の所定時点以後の第１生体情報および第２生体情報を、第１生体情報および第２生体情報の経時変化が比較可能なように、出力装置に出力させる出力制御手段と
して機能させるための生活習慣改善支援用の出力制御プログラム。
【発明の詳細な説明】
【０００１】
【発明の属する技術分野】
本発明は、生活習慣の改善を指導されている患者に対して、改善された生活習慣を持続させるための支援をする生活習慣改善支援システムに関する。
【０００２】
【従来の技術】
生活習慣に起因する病気の危険性のある患者には、医師から生活習慣を改善するように指導される。しかし、医師がその患者の日々の生活を管理することは困難であり、医師は、たとえば３ヶ月に一度など定期的に、あるいは逐次、その患者が医師の診断を受けた場合にのみ、その患者の生活習慣が指導通りに維持されているかを知ることができるのみである。
【０００３】
そのため、日々の生活習慣の管理は、患者自身が行う必要がある。患者が生活習慣を維持するための支援装置としては、たとえば、その患者の生体情報をトレンド表示する生体情報測定装置が提案されている。たとえば、特許文献１に記載されている自動血圧測定記録装置がそれである。特許文献１に記載されている自動血圧測定装置では、プリンタに血圧の経日変化が表示されることから、患者は、血圧が改善しているか、維持されているか、悪化しているかを知ることができる。従って、改善した生活習慣を維持した結果、血圧が改善されていれば、努力して生活習慣を改善したことの励みになり、また、生活習慣を改善せずに血圧が悪化していれば、生活習慣を改善しなければならないという危機感を感じることになるので、患者が生活習慣を維持する助けとなる。
【０００４】
【特許文献１】
特開２００１−１９０５０６号公報
【０００５】
【発明が解決しようとする課題】
しかし、一人で生活習慣の改善の努力を維持するには強い意志が必要であり、前記特許文献１に記載されているように、自分の生体情報の経時変化を見ることができるだけでは、改善した生活習慣を維持する意志が減退してしまい、生活習慣の改善をあきらめてしまうことも多かった。
【０００６】
本発明は以上の事情を背景として為されたもので、その目的とするところは、生活習慣の改善を持続させ易くする生活習慣改善支援システムを提供することにある。
【０００７】
【課題を解決するための第１の手段】
上記目的を達成するための第１発明の要旨とするところは、(a)第１の患者の生体情報である第１生体情報を測定するための第１生体情報測定装置と、(b)複数の第２の患者の前記生体情報である第２生体情報をそれぞれ測定するための複数の第２生体情報測定装置と、（c-1)前記第１生体情報測定装置により測定された第１生体情報および前記第２生体情報測定装置により測定された第２生体情報を患者別に逐次記憶する記憶装置と、(c-2)その記憶装置に記憶されている複数の患者の第２生体情報から、過去の所定時点における値が前記第１生体情報と略同じであり、且つ、予め定められている目標値が前記第１生体情報の目標値と略同じである第２生体情報を選択し、選択した第２生体情報の前記所定時点以後のものを送信する送信手段とを備えたサーバ装置と、（d-1)そのサーバ装置の送信手段により送信された前記所定時点以後の前記第２生体情報を受信する受信手段と、(d-2)前記第１の患者のために、前記第１生体情報測定装置により測定されたその所定時点以後の第１生体情報と、その受信手段により受信されたその所定時点以後の第２生体情報とを、その所定時点以後の第１生体情報および第２生体情報の経時変化が比較可能なように出力する出力装置とを備えた患者端末装置とを含むことを特徴とする生活習慣改善支援システムである。
【０００８】
【第１発明の効果】
この発明によれば、出力装置には、第１の患者の生体情報である第１生体情報の経時変化が、過去の所定時点における値が第１生体情報と略同じであり、且つ、目標値が第１生体情報の目標値と略同じである第２生体情報の経時変化と比較可能に出力されるので、第１の患者は、自分の生体情報の経時変化と、自分と同様の生活改善に取り組んでいる他人の生体情報の経時変化とを比較することができる。従って、その他人に対する競争意識が生じ、また、生活改善に取り組んでいるのが自分だけではないと分かり励みになるので、改善した生活習慣を持続させ易くなる。
【０００９】
【第１発明の他の態様】
ここで、好ましくは、前記生活習慣改善支援システムは、前記送信手段により送信された第２生体情報が測定された第２の患者のための患者端末装置へ、前記記憶装置に記憶されている第１生体情報の前記所定時間以後の前記第１生体情報を送信する第２送信手段と、前記患者端末装置に設けられ、前記第２送信手段により送信された前記所定時間以後の前記第１生体情報を受信する第２受信手段と、前記患者端末装置に設けられ、前記第２受信手段により受信された第１生体情報と、前記送信手段において選択された前記所定時点以後の第２生体情報を比較可能に出力する第２出力装置とをさらに含む。このようにすれば、第１の患者が自分の生体情報の経時変化と、自分と同様の生活改善に取り組んでいる他人の生体情報の経時変化とを比較できると同時に、その他人も、自分の生体情報の経時変化を第１の患者の生体情報の経時変化と比較することができるので、自分の生体情報の経時変化が他人に見られているという緊張感が生じる。この緊張感も、改善した生活習慣を持続させる助けになる。
【００１０】
【課題を解決するための第２の手段】
前記目的を達成するための第２発明は、前記生活習慣改善支援システム用のサーバ装置である。すなわち、第２発明は、第１生体情報測定装置から逐次送信される、第１の患者の生体情報である第１生体情報、および複数の第２生体情報測定装置から逐次送信される、複数の第２の患者の生体情報である第２生体情報を記憶する記憶装置と、その記憶装置に記憶されている複数の患者の第２生体情報から、過去の所定時点における値が前記第１生体情報と略同じであり、且つ、予め定められている目標値が前記第１生体情報の目標値と略同じである第２生体情報を選択し、前記第１の患者のための出力装置に比較可能に出力させるために、選択した第２生体情報の前記所定時点以後のもの、および前記記憶装置に記憶されている前記第１生体情報の前記所定時間以後のものを送信する送信手段とを含むことを特徴とする生活習慣改善支援システム用のサーバ装置である。
【００１１】
【第２発明の他の態様】
ここで、好ましくは、前記送信手段は、複数の患者の第２生体情報を選択し且つ送信するものである。このようにすれば、出力装置に、第１生体情報の経時変化と比較可能に、複数の患者の第２生体情報の経時変化が出力されるので、第１の患者は、自分の生体情報の経時変化と、自分と同様の生活改善に取り組んでいる複数の他人の生体情報の経時変化とを比較することができる。従って、比較する他人が一人である場合よりも、より競争意識が増し、また、励みもますので、より改善した生活習慣を持続させ易くなる。
【００１２】
【課題を解決するための第３の手段】
また、前記目的を達成するための第３発明は、前記生活習慣改善支援システムに用いられる患者端末装置用の出力制御プログラムである。すなわち、第３発明は、コンピュータを、過去の所定時点以後に第１の患者に対して逐次測定された第１生体情報、および、第２の患者に対して逐次測定された第２生体情報であって、前記過去の所定時点における値が前記第１生体情報と略同じであり、且つ、予め定められている目標値が前記第１生体情報の目標値と略同じである第２生体情報の前記所定時点以後のものを通信回線を介して取得する生体情報取得手段と、その生体情報取得手段により取得された過去の所定時点以後の第１生体情報および第２生体情報を、第１生体情報および第２生体情報の経時変化が比較可能なように、出力装置に出力させる出力制御手段として機能させるための生活習慣改善支援用の出力制御プログラムである。
【００１３】
【発明の好適な実施の形態】
以下、本発明の好適な実施の形態について図面を参照しつつ詳細に説明する。
【００１４】
図１は、本発明の一実施例の生活習慣改善支援システム１０の構成例を示す図である。図１に示す生活習慣改善支援システム１０は、各患者の生体情報を測定するために各患者の家庭などに設置される多数の生体情報測定装置１２ａ、１２ｂ・・・１２ｇと、各生体情報測定装置１２にそれぞれ接続されている多数の患者端末装置１４と、病院あるいはこのシステム１０の管理会社などに設置されるサーバ装置１６と、通信回線１８とを備えて構成されている。
【００１５】
上記複数台の生体情報測定装置１２ａ、１２ｂ・・・１２ｇは、血圧値ＢＰ、体重Ｗ、体脂肪率、ＢＭＩ（Ｂｏｄｙ  Ｍａｓｓ  Ｉｎｄｅｘ）、脈波伝播速度ＰＷＶなど、生活習慣の改善によって変動する生体情報のうち予め定められた同種の生体情報を測定する装置であり、予め定められている生体情報の種類の数は１種であっても複数種類であってもよい。なお、ＢＭＩは、体格を表す指数であり、体重（キログラム）を身長（メートル）の２乗で割った数字である。
【００１６】
上記多数の生体情報測定装置１２のうち任意の一台が第１の患者の生体情報を測定するための第１生体情報測定装置であり、他の生体情報測定装置１２が第２生体情報測定装置であるが、本実施例では、生体情報測定装置１２ａを第１生体情報測定装置とし、他の生体情報測定装置１２ｂ・・・１２ｇを第２生体情報測定装置とする。
【００１７】
患者端末装置１４は通信機能を備えたコンピュータであり、各患者に操作される。この患者端末装置１４は生体情報測定装置１２から供給される生体情報を記憶するとともに、記憶した生体情報を通信回線１８を介してサーバ装置１６へ送信し、また、サーバ装置１６から送信される出力情報をその患者端末装置１４に備えられた表示器に表示する。なお、各患者端末装置１４ａ、１４ｂ・・・１４ｇは同一の機能を有しているが、本実施例では、生体情報測定装置１２ａを第１生体情報測定装置としているので、その生体情報測定装置１２ａが接続されている患者端末装置１４ａが第１の患者によって操作される第１患者端末装置であり、他の患者端末装置１４ｂ・・・１４ｇが第２患者端末装置である。
【００１８】
上記通信回線１８は、有線または無線のインターネットまたはＬＡＮなどにより構成される。サーバ装置１６は比較的高速高容量の電子計算機であり、図２に示すように、ハードディスク２０、入力装置２２、ＣＰＵ２４、ＲＡＭ２６、表示器２８および通信装置３０などを備えている。
【００１９】
ハードディスク２０は記憶装置として機能し、ＣＰＵ２４の制御プログラムが記憶されており、また、患者端末装置１４から送信された生体情報および入力装置２２から入力された生体情報が患者毎に記憶される。
【００２０】
入力装置２２には、生活習慣を改善する必要があると診断された患者の生体情報に対して医師が設定した目標値や、病院で測定された生体情報が入力される。
【００２１】
ＣＰＵ２４は、ＲＡＭ２６の一時記憶機能を利用しつつ、ハードディスク２０に記憶された制御プログラムを実行することにより、ハードディスク２０、表示器２８、通信装置３０を制御する。通信装置３０は、モデム、ターミナルアダブタ、ルータなどであり、通信回線１８を介して送信されてきた信号を受信するとともに、ハードディスク２２に記憶されているデータを通信回線１８を介して患者端末装置１４へ送信する。
【００２２】
図３は、サーバ装置１６のＣＰＵ２４の制御機能の要部を示す機能ブロック図である。生体情報記憶手段３８は、患者端末装置１４から逐次送信され、通信装置３０に受信された生体情報や、入力装置２２から逐次供給される生体情報をハードディスク２０に患者毎に記憶する。目標値設定手段４０は、入力装置２２からの信号に従って、患者毎および生体情報の種類毎の目標値を設定し、設定値をハードディスク２０に記憶する。なお、目標値は、患者の年齢、性別、体型、他の生体情報などに基づいて医師が決定して、入力装置２２から入力する。
【００２３】
出力情報選択手段４２は、ハードディスク２０に第１の患者の生体情報として記憶されている第１生体情報（すなわち患者端末装置１４ａから送信された生体情報およびその生体情報が測定された患者の生体情報として入力装置２２から入力された生体情報）のうち、予め定められた過去の所定時点以後のもの、および、ハードディスク２０に第２の患者の生体情報として記憶されている複数の患者の第２生体情報のうち、次の選択条件を満たす第２生体情報の、その過去の所定時点以後の第２生体情報を、出力情報として選択する。
【００２４】
上記選択条件は、上記過去の所定時点における値がその過去の所定時点の第１生体情報に基づいて定まる所定範囲内にあり、且つ、目標値も第１生体情報の目標値に基づいて定まる所定範囲内にあるという条件である。ここで、上記過去の所定時点とは、たとえば六ヶ月前など、現時点を基準として遡る月数（または年数や日数）により定められていてもよいし、過去に医師の診断を受けた時（すなわち入力装置２２から入力された生体情報の測定時）に設定されていてもよい。また、第１生体情報に基づいて定まる所定範囲内とは、第１生体情報と略同じ値と考えることができる範囲であり、たとえば、第１生体情報を中心とするプラスマイナス１０％の範囲に設定される。また、第１生体情報に基づいて定まる所定範囲内も、第１生体情報の目標値と略同じと考えることができる範囲であり、第１生体情報の目標値を基準としてプラスマイナス１０％の範囲に設定される。なお、本実施例では、上記選択条件を満たす第２生体情報が複数ある場合には、それら全てを出力情報として選択するようになっている。
【００２５】
送信手段として機能する第１送信手段４４は、出力情報選択手段４２により選択された出力情報に含まれる第１生体情報と第２生体情報とを第１患者端末装置である患者端末装置１４ａの表示器５８に比較可能に表示させるために、その出力情報を通信装置３０を介して患者端末装置１４ａへ送信する。第２送信手段４６は、出力情報選択手段４２により選択された出力情報を、通信装置３０を介して、その出力情報に含まれる第２生体情報を送信した第２患者端末装置（図３では例として患者端末装置１４ｂとしている）へ送信する。
【００２６】
図４は、患者端末装置１４の構成を示すブロック図である。患者端末装置１４も、サーバ装置１６と同様に、記憶装置として機能するハードディスク５０、入力装置５２、ＣＰＵ５４、ＲＡＭ５６、表示器５８および通信装置６０などを備えている。なお、表示器５８は、患者端末装置１４が第１患者端末装置として機能するときは、（第１）出力装置として機能し、患者端末装置１４が出力情報を受信する第２患者端末装置として機能するときは、第２出力装置として機能するものである。
【００２７】
上記ハードディスク５０内には、生体情報測定装置１２から逐次供給される生体情報が記憶され、また、サーバ装置１６から送信される出力情報を表示器５８に出力させるための出力制御プログラムが記憶されている。
【００２８】
図５は、患者端末装置１４のＣＰＵ５４の制御機能の要部を示す機能ブロック図である。生体情報記憶手段６２は、生体情報測定装置１２から逐次供給される生体情報をハードディスク５０に記憶する。患者側送信手段６４は、生体情報記憶手段６２により生体情報がハードディスク５０に記憶される毎に、その記憶された生体情報を通信装置６０を介してサーバ装置１６へ送信する。
【００２９】
受信手段６６および出力制御手段６８は、ハードディスク５０に記憶されている出力制御プログラムに従って実行される機能である。受信手段６６は、患者端末装置１４が第１患者端末装置として機能するときは第１受信手段および生体情報取得手段として機能し、患者端末装置１４が出力情報を受信する第２患者端末装置として機能するときは第２受信手段および生体情報取得手段として機能するものであり、サーバ装置１６から送信された出力情報を通信装置６０を介して受信する。
【００３０】
出力制御手段６８は、受信手段６６により受信された出力情報に含まれる前記所定時間以後の第１生体情報および第２生体情報を、それら第１生体情報および第２生体情報の経時変化が比較可能となるようにに表示器５８に表示する。図６は、出力制御手段６８により表示器５８に表示される出力情報の表示例を示す図である。図６の例では生体情報はＢＭＩであり、第１患者の患者を意味する「本人」のＢＭＩの経時変化と、「患者Ａ」および「患者Ｂ」のＢＭＩの経時変化が、同一グラフ内に折れ線グラフ表示されている。なお、患者Ａおよび患者Ｂのように、他人すなわち第２患者は匿名で表示されるが、図３の第２送信手段４６により、患者Ａおよび患者Ｂの患者端末装置１４にも出力情報は送信されるので、患者Ａおよび患者Ｂの患者端末装置１４にも図６と同様のグラフが表示される。
【００３１】
図７は、サーバ装置１６のＣＰＵ２４の制御機能の要部を示すフローチャートであり、図８は、患者端末装置１４のＣＰＵ５４の制御機能の要部を示すフローチャートである。
【００３２】
図７では、まず、目標値設定手段４０に相当するステップ（以下、ステップを省略する）ＳＡ１乃至ＳＡ２を実行する。ＳＡ１では、入力装置２２から生体情報の目標値を表す信号が供給されたか否かを判断する。診断時に測定された生体情報が特に生活改善を必要とするほど悪い値でない場合には、医師がその生体情報の目標値は決定しないので、このＳＡ１の判断が否定され、後述するＳＡ３以下を直接実行する。
【００３３】
一方、診断時の生体情報が生活改善を必要とするほどに悪い値の場合には、医師から患者に生活改善の指導が行われるとともに、医師によりその生体情報の目標値が決定されて、その目標値が入力装置２２から入力されるので、ＳＡ１の判断が肯定される。このＳＡ１の判断が肯定された場合には、続くＳＡ２において、入力装置２２から供給された信号に基づいて定まる患者および生体情報の種類について目標値を設定し、その設定値をハードディスク２０に記憶する。
【００３４】
前記ＳＡ１の判断が否定された場合、および上記ＳＡ２を実行した場合には、生体情報記憶手段３８に相当するＳＡ３乃至ＳＡ４を実行する。まず、ＳＡ３では、生体情報が供給されたか否かを判断する。第１患者端末装置（すなわち本実施例では患者端末装置１４ａ）や第２患者端末装置（すなわち本実施例では患者端末装置１４ａ以外の患者端末装置１４）から生体情報が送信され、その生体情報が通信装置３０により受信されるか、あるいは、診断時に測定された生体情報が入力装置２２から入力された場合には、この判断が肯定されるので続いてＳＡ４を実行する。一方、ＳＡ３の判断が否定された場合には、本ルーチンを一旦終了させる。
【００３５】
ＳＡ４では、受信あるいは入力された生体情報を、患者別および生体情報の種類別にハードディスク２０に記憶する。
【００３６】
続くＳＡ５では、上記ＳＡ４で記憶した生体情報について、目標値が設定されているか否かを判断する。診断時に測定された生体情報の値が正常である場合には目標値が設定されていないので、この判断が否定されて、本ルーチンは一旦終了する。一方、ＳＡ５の判断が肯定された場合には、出力情報選択手段４２に相当するＳＡ６において、本ルーチンの繰り返しによりハードディスク２０に逐次記憶されている複数の患者の生体情報から出力情報を選択する。すなわち、本ルーチンでは、上記ＳＡ４で記憶した生体情報が測定された患者の生体情報が第１生体情報であり、その第１生体情報の予め定められた過去の所定時点以後のものと、前述の選択条件を満たす一人或いは複数人の過去の所定時点以後の第２生体情報を出力情報として選択する。
【００３７】
そして、第１送信手段４４および第２送信手段４６に相当するＳＡ７では、上記ＳＡ６で選択した出力情報を、その出力情報に含まれる第１生体情報を送信した第１患者端末装置（たとえば患者端末装置１４ａ）、およびその出力情報に含まれる第２生体情報を送信した第２患者端末装置（たとえば患者端末装置１４ｂ）へ送信する。
【００３８】
続いて図８を説明する。図８では、まず、生体情報記憶手段６２に相当するＳＢ１乃至ＳＢ２を実行する。ＳＢ１では、生体情報測定装置１２から生体情報を表す信号が供給されたか否かを判断する。この判断が否定された場合には、本ルーチンを一旦終了させるが、肯定された場合には、続くＳＢ２において、生体情報測定装置１２から供給されている生体情報をハードディスク５０の所定の記憶領域に記憶する。
【００３９】
続くＳＢ３は患者側送信手段６４に相当し、上記ＳＢ２でハードディスク５０に記憶した生体情報をサーバ装置１６へ送信する。続いて受信手段６６に相当するＳＢ４乃至ＳＢ５を実行する。まず、ＳＢ４では、サーバ装置１６から出力情報が送信されているか否かを判断する。この判断が否定された場合には、本ルーチンを一旦終了させるが、図７のＳＡ７が実行された場合にはＳＢ４の判断が肯定されて、ＳＢ５においてその出力情報を受信する。そして、出力制御手段６８に相当するＳＢ６において、上記ＳＢ５で受信した出力情報に含まれる第１生体情報および第２生体情報を、たとえば、図６に示すような折れ線グラフにより、比較可能に表示器５８に表示する。
【００４０】
上述のように、本実施例によれば、患者端末装置１４ａの表示器５８には、第１の患者の生体情報である第１生体情報の経時変化と、過去の所定時点における値が第１生体情報と略同じであり、且つ、目標値も第１生体情報と略同じである第２生体情報の経時変化とが、同一グラフ内に折れ線グラフ表示されるので、第１の患者は、自分の生体情報の経時変化と、自分と同様の生活改善に取り組んでいる他人の生体情報の経時変化とを比較することができる。従って、その他人に対する競争意識が生じ、また、生活改善に取り組んでいるのが自分だけではないと分かり励みになるので、改善した生活習慣を持続させ易くなる。
【００４１】
また、本実施例によれば、患者端末装置１４ａの表示器５８に、第１生体情報の経時変化と比較可能に、複数の第２生体情報の経時変化が表示されるので、第１の患者は、自分の生体情報の経時変化と、自分と同様の生活改善に取り組んでいる複数の他人の生体情報の経時変化とを比較することができる。従って、比較する他人が一人である場合よりも、より競争意識が増し、また、励みもますので、より改善した生活習慣を持続させ易くなる。
【００４２】
また、本実施例によれば、第２送信手段４６（ＳＡ７）により、第１患者端末装置１４ａへ送信される出力情報が、その出力情報に含まれる第２生体情報を送信した第２患者端末装置へも送信され、その第２患者端末装置の表示器５８にも、第１生体情報の経時変化と第２生体情報の経時変化とが同一グラフ内に折れ線グラフ表示されることから、第１の患者が自分の生体情報の経時変化と、自分と同様の生活改善に取り組んでいる他人の生体情報の経時変化とを比較できると同時に、その他人も、自分の生体情報の経時変化を第１の患者の生体情報の経時変化と比較することができるので、自分の生体情報の経時変化が他人に見られているという緊張感が生じる。この緊張感も、改善した生活習慣を持続させる助けになる。
【００４３】
以上、本発明の一実施例を図面に基づいて説明したが、本発明は他の態様においても適用される。
【００４４】
たとえば、前述の実施例では、出力情報選択手段４２により前記過去の所定時点以後の第１生体情報、および前述の選択条件を満たす第２生体情報が選択され、第１送信手段４４により、出力情報選択手段４２により選択された範囲の第１生体情報および第２生体情報が第１患者端末装置（患者端末装置１４ａ）に送信されていたが、前述の実施例のように第１患者端末装置（患者端末装置１４ａ）に第１生体情報が記憶されている場合には、第２生体情報のみが選択され、その選択された第２生体情報のみが送信されるようになっていてもよい。
【００４５】
また、前述の実施例では、生体情報の目標値は、入力装置２２から入力されるようになっていたが、ハードディスク２０に記憶されている生体情報に基づいて自動的に設定されるようになっていてもよい。
【００４６】
また、前述の実施例の出力情報選択手段４２では、前述の選択条件を満たす第２生体情報は全て出力情報として選択されるようになっていたが、選択される第２生体情報の数の上限が設定されていてもよいし、第１生体情報に最も近い一人の患者の第２生体情報のみが選択されるようになっていてもよい。
【００４７】
また、前述の実施例では、サーバ装置１６は新たな生体情報を記憶する毎に、出力情報を選択し、送信するようになっていたが、患者端末装置１４が入力装置５２の操作に基づいてサーバ装置１６へ出力情報要求信号を送信するようになっており、サーバ装置１６はその出力情報要求信号を受信した場合に、出力情報を選択し、送信するようになっていてもよい。
【００４８】
また、前述の実施例の患者端末装置１４は、第１生体情報と第２生体情報とを同一グラフ内に折れ線グラフ表示することにより、第１生体情報と第２生体情報とを比較可能に表示していたが、棒グラフなど他の型式のグラフなど他の型式のグラフが用いられてもよいし、単に、数値を並べて表示するようになっていてもよい。
【００４９】
また、前述の生活習慣改善支援システム１０に、同様の生活習慣の改善に取り組んでいる患者が互いに励まし合うためのメーリングリストがさらに設けられていてもよい。
【００５０】
以上、本発明の実施例を図面に基づいて詳細に説明したが、これはあくまでも一実施形態であり、本発明は当業者の知識に基づいて種々の変更、改良を加えた態様で実施することができる。
【図面の簡単な説明】
【図１】本発明の一実施例の生活習慣改善支援システムの構成例を示す図である。
【図２】図１のサーバ装置の構成を示す図である。
【図３】図２のサーバ装置のＣＰＵの制御機能の要部を示す機能ブロック図である。
【図４】図１の患者端末装置の構成を示すブロック図である。
【図５】患者端末装置のＣＰＵの制御機能の要部を示す機能ブロック図である。
【図６】図５の出力制御手段により表示器に表示される出力情報の表示例を示す図である。
【図７】図１のサーバ装置のＣＰＵの制御機能の要部を示すフローチャートである。
【図８】図１の患者端末装置のＣＰＵの制御機能の要部を示すフローチャートである。
【符号の説明】
１０：生活習慣改善支援システム
１２：生体情報測定装置
１４：患者端末装置
１６：サーバ装置
１８：通信回線
２０：ハードディスク（記憶装置）
４４：第１送信手段（送信手段）
４６：第２送信手段
５８：表示器（第１（第２）出力装置）
６６：受信手段（第１（第２）受信手段）
６８：出力制御手段
【図１】
0003649720.tif 000002
【図２】
0003649720.tif 000003
【図３】
0003649720.tif 000004
【図４】
0003649720.tif 000005
【図５】
0003649720.tif 000006
【図６】
0003649720.tif 000007
【図７】
0003649720.tif 000008
【図８】
0003649720.tif 000009